(57)【特許請求の範囲】
【請求項１】
建物内外を連通する通路を内部に形成していると共に一対の側壁部を有した枠手段と、通路に回転自在に配された羽根手段と、この羽根手段を回転させて当該羽根手段により通路の開閉を行わせる回転力を発生すると共に発生した回転力を出力する第一の出力回転軸を有した回転力発生手段と、この回転力発生手段で発生された回転力を羽根手段に伝達する伝達手段と、羽根手段に回転自在に支持され且つ羽根手段の回転軸心と同心の回転軸心を有して通路に回転自在に配されている羽根部材を有していると共に当該羽根部材の回転により通路に強制的な空気流を生じさせる空気流発生手段とを具備しており、羽根手段は、横長の羽根部材と、この羽根部材の横方向の両端に固着された両側板とを具備しており、一方の側板は、一方の軸部とこの一方の軸部に一体形成されていると共に羽根手段の羽根部材の一端が固着された一方の扇形部とを具備しており、他方の側板は、他方の軸部とこの他方の軸部に一体形成されていると共に羽根手段の羽根部材の他端が固着された他方の扇形部とを具備しており、一方の軸部は、枠手段の一方の側壁部に回転自在に支持されていると共に空気流発生手段の羽根部材の一方の軸を回転自在に支持しており、他方の軸部は、枠手段の他方の側壁部に回転自在に支持されていると共に空気流発生手段の羽根部材の他方の軸を回転自在に支持しており、伝達手段は、回転力発生手段の第一の出力回転軸に設けられた外歯と、この外歯に噛合うと共に一方の側板の一方の軸部に設けられた内歯とを具備しており、この第一の出力回転軸の回転を外歯及び内歯を介して羽根手段の羽根部材の一方の側板の一方の軸部に伝達するようになっており、空気流発生手段は、当該空気流発生手段の羽根部材を回転させる回転力を出力する第二の出力回転軸と、この第二の出力回転軸の回転を空気流発生手段の羽根部材に伝達する回転伝達手段とを具備しており、この回転伝達手段は、第二の出力回転軸に固着された平歯車と、平歯車に噛合うと共に空気流発生手段の羽根部材の一方の軸に固着された平歯車とを具備しており、この第二の出力回転軸の回転を両平歯車を介して空気流発生手段の羽根部材の一方の軸に伝達するようになっている換気装置。
【請求項２】
建物内外を連通する通路を内部に形成していると共に一対の側壁部を有した枠手段と、通路に回転自在に配された羽根手段と、この羽根手段を回転させて当該羽根手段により通路の開閉を行わせる回転力を発生すると共に発生した回転力を出力する第一の出力回転軸を有した回転力発生手段と、この回転力発生手段で発生された回転力を羽根手段に伝達する伝達手段と、羽根手段に回転自在に支持され且つ羽根手段の回転軸心と同心の回転軸心を有して通路に回転自在に配されている羽根部材を有していると共に当該羽根部材の回転により通路に強制的な空気流を生じさせる空気流発生手段とを具備しており、羽根手段は、横長の羽根部材と、この羽根部材の横方向の両端に固着された両側板とを具備しており、一方の側板は、一方の軸部とこの一方の軸部に一体形成されていると共に羽根手段の羽根部材の一端が固着された一方の扇形部とを具備しており、他方の側板は、他方の軸部とこの他方の軸部に一体形成されていると共に羽根手段の羽根部材の他端が固着された他方の扇形部とを具備しており、一方の軸部は、枠手段の一方の側壁部に回転自在に支持されていると共に空気流発生手段の羽根部材の一方の軸を回転自在に支持しており、他方の軸部は、枠手段の他方の側壁部に回転自在に支持されていると共に空気流発生手段の羽根部材の他方の軸を回転自在に支持しており、伝達手段は、回転力発生手段の第一の出力回転軸に設けられた外歯と、この外歯に噛合うと共に一方の側板の一方の軸部に設けられており、且つ、前記外歯の径よりも大きい径を有した外歯とを具備しており、この第一の出力回転軸の回転を両外歯を介して羽根手段の羽根部材の一方の側板の一方の軸部に伝達するようになっており、空気流発生手段は、当該空気流発生手段の羽根部材を回転させる回転力を出力する第二の出力回転軸と、この第二の出力回転軸の回転を空気流発生手段の羽根部材に伝達する回転伝達手段とを具備しており、この回転伝達手段は、第二の出力回転軸に固着された平歯車と、平歯車に噛合うと共に空気流発生手段の羽根部材の一方の軸に固着された平歯車とを具備しており、この第二の出力回転軸の回転を両平歯車を介して空気流発生手段の羽根部材の一方の軸に伝達するようになっている換気装置。
【請求項３】
羽根手段の羽根部材は、通路を規定する一方の固定縁部に当接する一方の当接部と、一方の固定縁部と共に通路を規定する他方の固定縁部に当接する他方の当接部と、両当接部を橋絡していると共に各固定縁部に対応の当接部が当接する際に通路を横断して当該通路を閉塞する閉塞部とを有しており、空気流発生手段の羽根部材は、閉塞部の内周面に部分的に取り囲まれている請求項１又は２に記載の換気装置。
【請求項４】
羽根手段の羽根部材は、通路を規定する一方の固定縁部に当接する一方の当接部と、一方の固定縁部と共に通路を規定する他方の固定縁部に当接する他方の当接部と、両当接部を橋絡していると共に各固定縁部に対応の当接部が当接する際に通路を横断して当該通路を閉塞する閉塞部とを有している請求項１又は２に記載の換気装置。
【請求項５】
通路は、建物外壁に設けられた窓枠に形成された開口部に連通するようになっている請求項１から４のいずれか一項に記載の換気装置。
【発明の詳細な説明】
【０００１】
【発明の属する技術分野】
本発明は、ビル等の建物において、窓枠等に形成される開口部に取付けられる換気装置に関する。
【０００２】
【発明が解決しようとする課題】
この種の換気装置としては、実開昭６３−１７３４８８号公報等に記載されたものが知られているが、いずれもヒンジ機構を介して窓枠等に回動自在に閉塞板を取付け、換気の際には、閉塞板のヒンジ機構を介する回動により開口部を開放するようにしている。
【０００３】
ところで、上記のような公報記載の換気装置では、開口部の開放の際に、閉塞板が建物の内部側、すなわち室内側に回動されて内部側に大きく張り出し、結果として、閉塞板の張り出し用のスペースを多く必要とし、加えて、閉塞板がその一縁側でのみヒンジ機構に支えられた、いわゆる片持ち支持であるため、強風時等において、外気側の閉塞板の面に強力な風圧（正又は負圧）が加わると、閉塞板がその自由端側でばたついて、不快なばたつき音等が発生したり、ここから強風が内部に導入される虞を有する上に、外部が負圧時において、換気のために閉塞板を回動する場合、その回動抵抗が極めて大きく、初期回動が容易に行い得ない場合がある。
【０００４】
そこで、通路を横断した羽根部材を両端で回転自在に支持して、この羽根部材の回転軸心と同軸に配された出力回転軸を具備した電動モータでもって回転させるようにした換気装置が提案されているが、斯かる換気装置では、上記の問題を好ましく解決し得るが、自然換気であるために建物内の空気が一時的に著しく汚染された際等において短時間でそれを解消することが困難であると共に自然換気であると外気圧との関連で排気、吸気が決定されるために、建物内の汚染空気を例えば排気したい場合でも吸気がなされる虞がある上に、建物内の計画的な換気を行い難い。
【０００５】
また、上記の換気装置では、羽根部材の回転軸心と電動モータの出力回転軸心とが直線状に配置されていると共に電動モータの出力回転軸の回転がそのまま羽根部材の回転軸に伝達されるようになっているために、電動モータの設置位置の自由度が少なく、空間の有効な利用を図り難く、しかも、大きな占有スペースを必要とする上に、しっかりと開口部を閉塞するための大きな閉塞力を得るには、大きな回転トルクを発生する電動モータを用いる必要がある。
【０００６】
本発明は、前記諸点に鑑みてなされたものであって、その目的とするところは、必要に応じて強制換気を行い得、しかも、外気圧の大小に左右されることなしに建物内全体の計画的な換気を行い得る換気装置を提供することにある。
【０００７】
また本発明の他の目的とするところは、空間の有効な利用を図り得る上に、占有スペースを小さくすることができ、しかも、しっかりと開口部を閉塞することができる優れた換気装置を提供することにある。
【０００８】
【課題を解決するための手段】
本発明の第一の態様の換気装置は、建物内外を連通する通路に回転自在に配された羽根手段と、この羽根手段を回転させて当該羽根手段により通路の開閉を行わせる回転力を発生する回転力発生手段と、この回転力発生手段で発生された回転力を羽根手段に伝達する伝達手段と、通路に回転自在に配されていると共に通路に強制的な空気流を生じさせる空気流発生手段とを具備している。
【０００９】
第一の態様の換気装置では、羽根手段が通路の開閉を行わせるようになっていることに加えて、空気流発生手段が通路に強制的な空気流を生じさせるようになっているので、必要に応じて強制換気を行い得、しかも、回転力発生手段と空気流発生手段との作動を適宜に制御することにより外気圧の大小に左右されることなしに建物内全体の計画的な換気を行い得る。
【００１０】
本発明における空気流発生手段は、第二の態様の換気装置のように、その回転軸心が羽根手段の回転軸心と同心になるように、通路に回転自在に配されている羽根部材を具備していてもよく、ここで羽根部材は、第三の態様の換気装置のように、羽根手段に回転自在に支持されていてもよい。
【００１１】
空気流発生手段が第二の態様の換気装置のように羽根部材を具備し、斯かる羽根部材が第三の態様の換気装置のように支持されていると、空気流発生手段の羽根部材の設置スペースを羽根手段の回転領域内に収めることができ、空気流発生手段の羽根部材に対する設置スペースを特に設けなくてもよく、コンパクトな換気装置とし得る。
【００１２】
また本発明における羽根手段は、第四の態様の換気装置のように、、横長の羽根部材と、この羽根部材の横方向の両端に固着された両側板とを具備し、ここで、羽根手段の羽根部材が両側板において回転自在に支持され、空気流発生手段の羽根部材が両端で側板に回転自在に支持されていてもよく、斯かる第四の態様の換気装置において、羽根手段の羽根部材は、第五の態様の換気装置のように、通路を規定する一方の固定縁部に当接する一方の当接部と、一方の固定縁部と共に通路を規定する他方の固定縁部に当接する他方の当接部と、両当接部を橋絡していると共に各固定縁部に対応の当接部が当接する際に通路を横断して当該通路を閉塞する閉塞部とを有して、空気流発生手段の羽根部材が閉塞部の内周面に部分的に取り囲まれていてもよい。
【００１３】
本発明における空気流発生手段は、好ましくは、第六の態様の換気装置のように、電動モータと、羽根手段に回転自在に支持されている羽根部材と、電動モータの出力回転軸の回転を羽根部材に伝達する回転伝達手段とを具備している。
【００１４】
本発明における羽根手段は、第七の態様の換気装置のように、通路を規定する一方の固定縁部に当接する一方の当接部と、一方の固定縁部と共に通路を規定する他方の固定縁部に当接する他方の当接部と、両当接部を橋絡していると共に各固定縁部に対応の当接部が当接する際に通路を横断して当該通路を閉塞する閉塞部とを有した羽根部材を具備しており、ここで、回転力発生手段は、発生した回転力を出力する出力回転軸を具備しており、伝達手段は、回転力発生手段の出力回転軸の回転を羽根手段の羽根部材の回転軸心に対して径方向に変位した位置で羽根手段に伝達するようになっていてもよい。
【００１５】
第七の態様の換気装置によれば、回転力発生手段の出力回転軸の回転を羽根手段の羽根部材の回転軸心に対して径方向に変位した位置で羽根手段に伝達するように伝達手段がなっているために、当該位置を任意に設定することにより、空間の有効な利用を図り得、羽根手段の羽根部材の回転軸心と電動モータの出力回転軸の回転軸心との直線状の配置を回避できて、しかも、羽根手段の羽根部材の加速、減速を容易に行うことができ、特に、減速を行うように当該位置を設定することにより、当接部の各固定縁部への当接を大きな力で行うことができて、開口部を水密、気密性をもってしっかりと閉塞することができる。
【００１６】
本発明の第八の態様の換気装置では、第七の態様の換気装置において、内部に通路を形成した枠手段を具備しており、ここで、羽根手段は、羽根部材の両端に固着された側板を具備していると共にこの側板において枠手段に回転自在に支持されており、伝達手段は、回転力発生手段の出力回転軸に設けられた外歯と、この外歯に噛合うと共に羽根手段の側板に設けられた内歯とを具備している。
【００１７】
第八の態様の換気装置によれば、伝達手段が互いに噛合う外歯と内歯とを具備しているために、回転力発生手段の出力回転軸を内歯で囲まれる空間内に配置できて、軸方向の占有スペースを確実に小さくすることができ、しかも、回転力発生手段の出力回転軸の回転を減速して羽根手段に伝達するために、当接部の各固定縁部への当接を大きな力で行うことができて、開口部を水密、気密性をもって確実にしっかりと閉塞することができる上に、回転力発生手段を電動モータ等で具体化する場合には、出力トルク及びサイズの小さい電動モータ等を用いることができ、斯かる観点からも占有スペースを小さくすることができる。
【００１８】
本発明の第九の態様の換気装置は、第七の態様の換気装置において、内部に通路を形成した枠手段を具備しており、ここで、羽根手段は、当該羽根手段の羽根部材の両端に固着された側板を具備していると共にこの側板において枠手段に回転自在に支持されており、伝達手段は、回転力発生手段の出力回転軸に設けられた外歯と、この外歯に噛合うと共に羽根手段の側板に設けられた外歯とを具備している。
【００１９】
第九の態様の換気装置によれば、伝達手段が互いに噛合う二つの外歯を具備しているために、回転力発生手段の出力回転軸を外歯の外周面の周りに配置できて、第九の態様の換気装置と同様に、軸方向の占有スペースを確実に小さくすることができ、しかも、回転力発生手段の出力回転軸の回転を減速して羽根手段に伝達でき得るために、当接部の各固定縁部への当接を大きな力で行うことができて、開口部を水密、気密性をもってしっかりと閉塞することができる上に、回転力発生手段を電動モータ等で具体化する場合には、出力トルク及びサイズの小さい電動モータ等を用いることができ、斯かる観点からも占有スペースを小さくすることができる。
【００２０】
本発明の第十の態様の換気装置は、第七の態様の換気装置において、内部に通路を形成した枠手段を具備しており、ここで、羽根手段は、当該羽根手段の羽根部材の両端に固着された側板を具備していると共にこの側板において枠手段に回転自在に支持されており、伝達手段は、回転力発生手段で発生された回転力を遊星歯車機構を介して羽根手段に伝達するようになっている。
【００２１】
第十の態様の換気装置によれば、伝達手段が遊星歯車機構を具備しているために、回転力発生手段の出力回転軸の回転を減速して羽根手段に伝達できる結果、当接部の各固定縁部への当接を大きな力で行うことができて、開口部を水密、気密性をもってしっかりと閉塞することができる上に、回転力発生手段を電動モータ等で具体化する場合には、出力トルク及びサイズの小さい電動モータ等を用いることができ、占有スペースを小さくすることができる。
【００２２】
第十の態様の換気装置において、遊星歯車機構は、本発明の第十一の態様の換気装置のように、回転力発生手段の出力回転軸に設けられた太陽歯車と、羽根手段の側板に設けられた内歯とを具備していても、本発明の第十二の態様の換気装置のように、回転力発生手段の出力回転軸に設けられた内歯と、羽根手段の側板に設けられた太陽歯車とを具備していてもよい。
【００２３】
本発明の換気装置は、建物内外を連通する通路を介して換気するものに適用されるのであるが、斯かる通路は、好ましくは、本発明の第十三の態様の換気装置のように、建物外壁に設けられた窓枠に形成された開口部に連通するようになっている。
【００２４】
更に本発明の換気装置における回転力発生手段は、好ましくは電動モータを有していてもよいが、これに代えて又はこれと共に手動で回転し得るレバー等を有していてもよい。回転力発生手段及び空気流発生手段の動力源として電動モータを用いる場合には、商用電源からの電力でこれら電動モータを駆動してもよいが、これに代えて又はこれと共に、太陽電池、蓄電池等からの電力でこれら電動モータを駆動してもよく、特に比較的長時間作動することもある空気流発生手段の動力源としての電動モータを太陽電池からの電力で駆動するようにすると、大幅な省資源を達成できて好ましい。
【００２５】
次に本発明及びその実施の形態を、図に示す好ましい例に基づいて更に詳細に説明する。なお、本発明はこれら例に何等限定されないのである。
【００２６】
【発明の実施の形態】
図１から図３において、本例の換気装置１は、建物内外２及び３を連通する通路４を内部に形成した枠手段５と、通路４に回転自在に配された羽根手段６と、羽根手段６を回転させて当該羽根手段６により通路４の開閉を行わせる回転力を発生する回転力発生手段としての電動モータ７と、電動モータ７で発生された回転力を羽根手段６に伝達する伝達手段８と、通路４に回転自在に配されていると共に通路４に強制的な空気流、本例ではＸ方向（排気方向）の強制的な空気流を生じさせる空気流発生手段９とを具備している。
【００２７】
通路４は、建物外壁に設けられた窓枠１１に形成された開口部１２に連通するようになっており、窓枠１１には上下にガラス板（窓ガラス）１３及び１４が嵌め込まれている。
【００２８】
枠手段５は、上下の開口部１５及び１６を有する横長の枠本体１７と、枠本体１７の下面に取付けられている案内枠１８と、開口部１５を覆って配された防塵枠１９とを具備している。
【００２９】
枠本体１７は、左右の側壁部２１及び２２と、開口部１６が形成された下壁部２３と、前後の壁部２４及び２５と、中間壁部２６と、開口部１５が形成されていると共に壁部２４及び２５に取付けられた上壁部２７とを具備している。
【００３０】
側壁部２１及び２２の内面には、夫々下壁部２３に固着されていると共に上面に円弧面３１を有すると共に弾性を有したシール部材３２及び３３が配されており、前壁部２４と下壁部２３との間の隅部３０には、側壁部２１から側壁部２２まで伸びていると共に通路４を規定する一方の固定縁部としての弾性を有したシール部材３４が嵌着されており、後壁部２５において側壁部２１から側壁部２２まで伸びた内方突出枠部３５には、同じく側壁部２１から側壁部２２まで伸びていると共に通路４を規定する他方の固定縁部としての弾性を有したシール部材３６が嵌着されており、前壁部２４に取付けられた中間壁部２６には、側壁部２１から側壁部２２まで伸びている弾性ストッパ部材３７が嵌着されている。
【００３１】
案内枠１８は、開口部１２に臨んだ開口部３８を有しており、上下向きの開口部１６と前後向きの開口部１２とを連通させている。防塵枠１９には、防塵金網３９が取付けられており、斯かる防塵金網を案内枠１８において開口部１２に臨む開口部３８にも防鳥用を兼ねて設けてもよい。
【００３２】
羽根手段６は、横長の羽根部材４５と、羽根部材４５の横方向の両端に固着された左右の側板４６及び４７とを具備している。
【００３３】
羽根部材４５は、通路４を規定するシール部材３４に当接する当接部５１と、シール部材３４と共に通路４を規定するシール部材３６に当接する当接部５２と、両当接部５１及び５２を橋絡していると共にシール部材３４及び３６の夫々に対応の当接部５１及び５２が当接する際に通路４を横断して当該通路４を閉塞すると共に外側に円弧面５３を、内側に略放物面状の内周面５４を夫々有した中空の閉塞部５０とを具備している。
【００３４】
側板４６及び４７の夫々は、円盤状の軸部５５と、軸部５５に一体形成されていると共に羽根部材４５が固着された扇形部５６とを具備しており、扇形部５６の外周縁は羽根部材４５の円弧面５３と面一になっており、側板４６及び４７の夫々は、その軸部５５において枠手段５の側壁部２１及び２２に転がり軸受４８及び４９を介して回転軸心Ｏ１を中心としてＡ及びＢ方向に回転自在に支持されており、而して、羽根部材４５は、側板４６及び４７において、即ち側板４６及び４７並びに転がり軸受４８及び４９を介して側壁部２１及び２２に回転軸心Ｏ１を中心としてＡ及びＢ方向に回転自在に支持されている。
【００３５】
曲率中心が回転軸心Ｏ１上にある円弧面５３の曲率半径は、曲率中心が同じく回転軸心Ｏ１上にある円弧面３１の曲率半径と同一又はそれよりも若干大きく、したがって、羽根部材４５がＢ方向に回転されて、当接部５１がシール部材３４に当接すると共に当接部５２がシール部材３６に当接すると、閉塞部５０の円弧面５３は、その横方向の両端でシール部材３２及び３３にぴったりと当接するようになっている。
【００３６】
側壁部２２に取付けられた電動モータ７は、発生した回転力を出力する出力回転軸６１を具備しており、出力回転軸６１は、転がり軸受６２を介して側壁部２２に、回転軸心Ｏ１に対して偏心した回転軸心Ｏ２をもって回転自在に支持されている。
【００３７】
伝達手段８は、電動モータ７の出力回転軸６１に設けられた平歯車６４の外歯６５と、外歯６５に噛合うと共に側板４７の軸部５５に設けられた内歯６６とを具備しており、電動モータ７の出力回転軸６１の回転を羽根部材４５の回転軸心Ｏ１に対して径方向に変位した位置６７、即ち外歯６５と内歯６６との噛合う位置６７で羽根手段６に伝達するようになっている。伝達手段８は、出力回転軸６１の回転を外歯６５から内歯６６を介して軸部５５に伝達するようになっている結果、出力回転軸６１の回転を減速して軸部５５に伝達する。
【００３８】
空気流発生手段９は、出力回転軸１００を有した電動モータ１０１と、羽根手段６に回転自在に支持されている羽根部材１０２と、電動モータ１０１の出力回転軸１００の回転を羽根部材１０２に伝達する回転伝達手段１０３とを具備している。
【００３９】
側壁部２２に固着された電動モータ１０１の出力回転軸１００は、転がり軸受１０４を介して側壁部２２に回転自在に支持されている。
【００４０】
羽根部材１０２は、夫々軸部５５に近接して配された一対の円盤状部材１０５及び１０６と、一対の円盤状部材１０５及び１０６を橋絡して当該一対の円盤状部材１０５及び１０６に固着された中空かつ横長の円筒状部材１０７と、一対の円盤状部材１０５及び１０６を橋絡して当該一対の円盤状部材１０５及び１０６並びに円筒状部材１０７に固着されていると共に、夫々湾曲された複数枚の横長の羽根１０８と、両端部で一対の円盤状部材１０５及び１０６に固着された軸１０９とを具備している。
【００４１】
軸１０９は、一対の円盤状部材１０５及び１０６から突出する両端で転がり軸受１１１及び１１２を介して回転軸心Ｏ１を中心としてＡ及びＢ方向に回転自在に支持されており、こうして、羽根部材１０２は、その回転軸心Ｏ１が羽根手段６の回転軸心Ｏ１と同心になるように、通路４に回転自在に配されていると共に、両端で羽根手段６の側板４６及び４７に回転自在に支持されている。
【００４２】
羽根部材１０２は、閉塞部５０の内周面５４に部分的に取り囲まれており、内周面５４と羽根１０８の先端の包絡線とで規定される空間１１５は、羽根部材１０２のＢ方向の回転で空気が効率よく通路４内で開口部１５から開口部１６へ向かう方向に羽根部材１０２により移送されるように、開口部１５から開口部１６へ向かう方向に徐々に幅広になっている。
【００４３】
回転伝達手段１０３は、出力回転軸１００に固着された平歯車１２１と、平歯車１２１に噛合うと共に、軸１０９の一端に固着された平歯車１２２とを具備しており、出力回転軸１００の回転を平歯車１２１及び１２２を介して軸１０９に伝達するようになっている。
【００４４】
以上の換気装置１では、図１に示すように羽根部材４５の当接部５１が弾性ストッパ部材３７に当接されて通路４が開放状態（全開状態）となっている際又は通路４が羽根部材４５によって途中開放（半開放又は半閉塞）となっている際に、電動モータ１０１が作動されてその出力回転軸１１０が回転されると、この回転が回転伝達手段１０３の平歯車１２１及び１２２を介して軸１０９に伝達されて羽根部材１０２がＢ方向に回転され、これによりＸ方向の強制的な空気流が生じて、建物内２の空気が建物外３に排出されて建物内２が強制換気される。
【００４５】
図１に示す通路４の開放状態又は通路４の途中開放状態で電動モータ１０１が作動されない場合には、建物内外２及び３の気圧差に基づいて建物内外２及び３に対して通路４及び羽根１０８間の隙間等を介して給排気が行われて、新鮮な建物外３の空気が建物内２に供給され、汚染された建物内２の空気が建物外３に排出されて、而して建物内２は自然換気される。建物外３の強風時又は換気を希望しない時等において、電動モータ７の作動で出力回転軸６１が回転されて、外歯６５、内歯６６及び側板４７の軸部５５を介して羽根部材４５がＢ方向に回転されると、通路４は徐々に閉塞され始め、図４に示すように当接部５１がシール部材３４に、当接部５２がシール部材３６に夫々当接すると、通路４が閉塞状態となって建物内外２及び３に対する通路４を介する給排気が行われなくなり、強風が建物内２に吹き込むことが防止される。強風が止んだ後又は換気を希望する時に、電動モータ７の作動で出力回転軸６１が回転されて、外歯６５、内歯６６及び側板４７の軸部５５を介して羽根部材４５がＡ方向に回転されると、通路４は徐々に開放され始め、図１に示すように当接部５１が弾性ストッパ部材３７に当接されると通路４は開放状態となる。本換気装置１では、羽根部材４５による通路４に対する途中開放を含む電動モータ７の作動及び作動停止は、羽根部材４５の回転角を検出する検出器に基づいて自動又は手動によって行われるようになっている。
【００４６】
斯かる換気装置１によれば、羽根手段６が通路４の開閉を行わせるようになっていることに加えて、空気流発生手段９が通路４に強制的な空気流を生じさせるようになっているので、必要に応じて強制換気を行い得、しかも、電動モータ７と空気流発生手段９との作動を適宜に制御することにより外気圧の大小に左右されることなしに建物内２全体の計画的な換気を行い得る。
【００４７】
しかも、換気装置１では、空気流発生手段９の羽根部材１０２の回転軸心Ｏ１が羽根手段６の回転軸心Ｏ１と同心になるように羽根部材１０２が通路４に回転自在に配されて、しかも、羽根手段６に回転自在に支持されているので、羽根部材１０２の設置スペースを羽根手段６の回転領域内に収めることができ、羽根部材１０２に対する設置スペースを特に設けなくてもよく、コンパクトな換気装置とし得る。
【００４８】
そして、換気装置１では、出力回転軸６１の回転を羽根部材４５の回転軸心Ｏ１に対して径方向に変位した位置６７で羽根手段６に伝達するように伝達手段８がなっているために、羽根部材４５の回転軸心Ｏ１と出力回転軸６１の回転軸心Ｏ２との直線状の配置を回避できて、電動モータ７の設置位置の自由度を増大できて、設置空間の有効利用を図ることができ、しかも、出力回転軸６１を内歯６６で囲まれる空間内に配置できて、軸方向の占有スペースを小さくすることができ、その上、出力回転軸６１の回転を減速して羽根手段６に伝達するために、当接部５１及び５２のシール部材３４及び３６への夫々の当接を大きな力で行うことができて、開口部を水密、気密性をもって確実にしっかりと閉塞することができる上に、出力トルク及びサイズの小さい電動モータ７を用いることができ、斯かる観点からも占有スペースを小さくすることができる。
【００４９】
以上の換気装置１においては、伝達手段８は、外歯６５と内歯６６とを具備しているが、これに代えて、図５及び図６に示すように、電動モータ７の出力回転軸６１に設けられた平歯車７０の外歯７１と、外歯７１に噛合うと共に側板４７の軸部５５の外周面に設けられた外歯７２とを具備した伝達手段８でもよい。図５及び図６に示す換気装置１においては、側板４６の軸部５５は、扇形部５６が一体形成された円盤状の大径部７５と、大径部７５に一体形成された小径部７６とを具備しており、側板４６は、小径部７６において転がり軸受４８を介して側壁部２１に回転軸心Ｏ１を中心として回転自在に支持されており、側板４７の軸部５５は、同じく扇形部５６が一体形成された円盤状の大径部７７と、大径部７７に一体形成された小径部７８とを具備しており、大径部７７の外周面に外歯７２が形成されており、側板４７は、小径部７８において転がり軸受４９を介して側壁部２２に回転軸心Ｏ１を中心として回転自在に支持されており、伝達手段８は、出力回転軸６１の回転を羽根部材４５の回転軸心Ｏ１に対して径方向に変位した位置７９、即ち外歯７１と外歯７２との噛合う位置７９で羽根手段６に伝達するようになっており、羽根部材１０２は、転がり軸受１１１及び１１２を介して大径部７５及び７７に回転軸心Ｏ１を中心として回転自在に支持されている。
【００５０】
図５及び図６に示す換気装置１においても、出力回転軸６１の回転を羽根部材４５の回転軸心Ｏ１に対して径方向に変位した位置７９で羽根手段６に伝達するように伝達手段８がなっているために、羽根部材４５の回転軸心Ｏ１と出力回転軸６１の回転軸心Ｏ２との直線状の配置を回避できて、電動モータ７の設置位置の自由度を増大できて、空間の有効利用を図ることができ、しかも、出力回転軸６１を外歯７２の外周面の周りに配置できて、軸方向の占有スペースを小さくすることができ、その上、外歯７２の径よりも小さい径を有した外歯７１を用いて、出力回転軸６１の回転を減速して羽根手段６に伝達するために、当接部５１及び５２のシール部材３４及び３６への夫々の当接を大きな力で行うことができて、開口部を水密、気密性をもって確実にしっかりと閉塞することができる上に、出力トルク及びサイズの小さい電動モータ７を用いることができ、斯かる観点からも占有スペースを更に小さくすることができる。
【００５１】
上記の換気装置１では、一対の歯でもって伝達手段８を構成したが、図７に示すように遊星歯車機構８１でもって伝達手段８を構成してもよい。図７に示すように遊星歯車機構８１は、電動モータ７の出力回転軸６１に設けられた太陽歯車８２と、側板４７の軸部５５に設けられた内歯歯車８３と、太陽歯車８２と内歯歯車８３との間に配された遊星歯車８４とを具備しており、伝達手段８は、出力回転軸６１の回転を羽根部材４５の回転軸心Ｏ１に対して径方向に変位した位置８５、即ち内歯歯車８３の軸部５５への取付け位置８５で羽根手段６に伝達するようになっている。本例では、遊星歯車８４は、それ自体が回転自在に側壁部２２に支持されており、側板４７は、内歯歯車８３及び遊星歯車８４を介して側壁部２２に回転軸心Ｏ１を中心として回転自在に支持されている。
【００５２】
図７に示す換気装置１では、伝達手段８が遊星歯車機構８１を具備しているために、出力回転軸６１の回転を減速して羽根手段６に伝達できる結果、当接部５１及び５２のシール部材３４及び３６への夫々の当接を大きな力で行うことができて、開口部を水密、気密性をもってしっかりと閉塞することができる上に、出力トルク及びサイズの小さい電動モータ７を用いることができ、占有スペースを小さくすることができる。
【００５３】
尚、電動モータ７で発生された回転力を遊星歯車機構８１を介して羽根手段６に伝達するように伝達手段８が構成される場合には、遊星歯車機構８１の内歯歯車８３を出力回転軸６１に設け、その太陽歯車８２を側板４７の軸部５５に設けてもよい。
【００５４】
図５及び図６に示す換気装置１及び図７に示す換気装置１でも、図１から図３に示す空気流発生手段９を同様にして具備しているので、図１から図３に示す換気装置１と同様の空気流発生手段９による効果を奏することができる。
【００５５】
また上記の換気装置１の夫々では、開口部１５から開口部１６へ向かう方向に徐々に幅広になる空間１１５を形成する内周面５４を一体的に有した閉塞部５０を具備した羽根部材４５を用いたが、これに代えて、図８に示すように、当接部５１、当接部５２及び閉塞部５０に加えて、閉塞部５０の内側に一体的に形成された爪１３１及び１３２を介して当該閉塞部５０の内側の円弧状の内周面１３３に嵌着される略放物面状の空間規定部材１３４を具備して羽根部材４５を構成してもよく、図８に示す羽根部材４５によれば、空間規定部材１３４を図８において上下に反転させて閉塞部５０の内周面１３３に爪１３１及び１３２を介して嵌着することにより、空間規定部材１３４と羽根１０８の先端の包絡線とで規定される空間を開口部１６から開口部１５へ向かう方向に徐々に幅広になるようにでき、したがって、強制排気に代えて強制吸気する場合にも図８に示す羽根部材４５を用いることができる。なお、強制吸気する場合には、羽根部材１０２を単に逆回転させてもよいが、効率のよい強制吸気を行う場合には、羽根部材１０２を左右反対にして設置するとよい。
【００５６】
加えて、枠手段５の上下の開口部１５及び１６を有する横長の枠本体１７を、図８に示すように中間壁部２６を省略して、しかも、上下及び左右に対称な取付部１４１をもって構成してもよく、図８に示す枠本体１７によれば、枠本体１７の設置に対して汎用性が増大して好ましい。
【００５７】
【発明の効果】
本発明によれば、必要に応じて強制換気を行い得、しかも、外気圧の大小に左右されることなしに建物内全体の計画的な換気を行い得る換気装置を提供することができる。
【００５８】
また本発明によれば、空間の有効な利用を図り得る上に、占有スペースを小さくすることができ、しかも、しっかりと開口部を閉塞することができる優れた換気装置を提供することができる。
【図面の簡単な説明】
【図１】本発明の実施の形態の好ましい一例であって、図２に示すＩ−Ｉ線矢視断面図である。
【図２】図１に示す例の正面説明図である。
【図３】図１に示す例の一部説明図である。
【図４】図１に示す例の動作説明図である。
【図５】本発明の実施の形態の好ましい他の例の正面説明図である。
【図６】図５に示す例の一部説明図である。
【図７】本発明の実施の形態の好ましい更に他の例の正面説明図である。
【図８】本発明の実施の形態の好ましい更に他の例の一部の断面図である。
【符号の説明】
１  換気装置
２  建物内
３  建物外
４  通路
６  羽根手段
７  電動モータ
８  伝達手段
９  空気流発生手段
【図１】
0004765203.tif 000002
【図２】
0004765203.tif 000003
【図３】
0004765203.tif 000004
【図４】
0004765203.tif 000005
【図５】
0004765203.tif 000006
【図６】
0004765203.tif 000007
【図７】
0004765203.tif 000008
【図８】
0004765203.tif 000009